(57)【要約】【課題】凹所を形成することにより床材に生じる反りを最小限に抑えることのできる床暖房パネルを提供すること。【解決手段】床材１の裏面部にくり抜かれて形成された凹所４の長手方向、短手方向にそれぞれのびる横桟８、縦桟９により組み立てられた補強枠７が、凹所内において平面発熱体の下側に配設され、断熱材６が補強枠内に収容されている。【選択図】図１
2007315071.tif 000002
【特許請求の範囲】
【請求項１】
床材の裏面部にくり抜かれて形成された凹所に床材の表面側から順に平面発熱体、断熱材が収容され、凹所全体が裏面材により塞がれて形成される床暖房パネルにおいて、凹所の長手方向、短手方向にそれぞれのびる横桟、縦桟により組み立てられた補強枠が、凹所内において平面発熱体の下側に配設され、断熱材が補強枠内に収容されていることを特徴とする床暖房パネル。
【請求項２】
床材の裏面部にくり抜かれて形成された凹所は周縁部に複数の被係合部を有し、この被係合部に係合する係合部が複数補強枠に設けられ、係合部を被係合部に係合させて補強枠が凹所内に配設される請求項１記載の床暖房パネル。
【請求項３】
補強枠が裏面材にあらかじめ固定されている請求項１または２記載の床暖房パネル。
【発明の詳細な説明】
【技術分野】
【０００１】
本願発明は、床暖房パネルに関する。
【背景技術】
【０００２】
屋内暖房の一つとして床暖房が利用されており、床暖房を実現するものとして、たとえば、四周の外芯材により芯組を形成し、芯組の表面にヒータ線および均熱シートを順次積層固着するとともに、芯組の裏面に裏面材を固着して、芯組の内部および均熱シートと裏面材との間に形成された空間に合成樹脂発泡体が充填され、剛性を高めるために、芯組の内部に空間を仕切るように中芯材を設けた床暖房パネルが知られている（特許文献１）。
【特許文献１】特開２００３−１８５１６２号公報
【発明の開示】
【発明が解決しようとする課題】
【０００３】
特許文献１に記載された床暖房パネルは、芯組に対しその表面に仕上材が貼着されて暖房床材が形成されるものであり、それ自体が木質床材として床表面部を形成することができるものではない。敷設により床表面部を形成することができる木質床材が暖房機能を併せ持つものであれば、施工が簡便になるなどのメリットがもたらされる。だが、暖房機能をも有する木質床材である床暖房パネルを実現するためには、次のような問題を解決しなければならない。
【０００４】
すなわち、床下との断熱効率を上げるためには、断熱材を床材の内部に組み込むことが必要とされる。この点は特許文献１に記載された床暖房パネルと同様であるが、芯組ではなく下地合板を有して形成される床材の場合、裏面部に凹所を深く形成しなければならず、この凹所の形成によって、床材の表裏における構造上のバランスが極端に崩れ、床材に反りが発生するという問題がある。床材の両側端部が内側に向かって凹状に反る。発生する反りに起因して、床暖房パネルの製造が困難となったり、反りを抑え込むのに手間取り、施工の難度が上がったりするという派生的な問題が生じる。また、反りにともなって床材同士の実結合部に凹凸が生じ、仕上がり外観が低下するという問題もある。
【０００５】
本願発明は、このような事情に鑑みてなされたものであり、凹所を形成することにより床材に生じる反りを最小限に抑えることのできる床暖房パネルを提供することを課題としている。
【課題を解決するための手段】
【０００６】
本願発明は、上記の課題を解決するために、第１に、床材の裏面部にくり抜かれて形成された凹所に床材の表面側から順に平面発熱体、断熱材が収容され、凹所全体が裏面材により塞がれて形成される床暖房パネルにおいて、凹所の長手方向、短手方向にそれぞれのびる横桟、縦桟により組み立てられた補強枠が、凹所内において平面発熱体の下側に配設され、断熱材が補強枠内に収容されていることを特徴としている。
【０００７】
本願発明は、第２に、床材の裏面部にくり抜かれて形成された凹所は周縁部に複数の被係合部を有し、この被係合部に係合する係合部が複数補強枠に設けられ、係合部を被係合部に係合させて補強枠が凹所内に配設されることを特徴としている。
【０００８】
本願発明は、第３に、補強枠が裏面材にあらかじめ固定されていることを特徴としている。
【発明の効果】
【０００９】
本願の第１の発明によれば、床材の裏面部にくり抜かれて形成された凹所の長手方向、短手方向にそれぞれのびる横桟、縦桟により組み立てられた補強枠が、凹所内において平面発熱体の下側に配設されるため、補強枠によって床材の表裏における構造上のバランスをとることができ、反りの発生を抑制することができる。また、補強枠によって床材の表面側から加わる荷重を十分に受けることができ、床暖房パネルの強度が保たれる。そして、断熱材は、補強枠内に収容されるため、凹所内での動きが抑制され、偏らずに安定して配置され、平面発熱体が発する熱が床材裏面側に放出されるのを十分に抑制することができる。
【００１０】
本願の第２の発明によれば、凹所が周縁部に有する複数の被係合部のそれぞれに、補強枠に設けられた係合部を係合させて補強枠を凹所に嵌め込みことができ、床材への補強枠の固定強度が高まる。
【００１１】
本願の第３の発明によれば、補強枠が裏面材にあらかじめ固定されているため、補強枠の凹所内への配設を裏面材の取り付けと同時に行うことができ、床暖房パネルの組み立てが容易となる。
【発明を実施するための最良の形態】
【００１２】
図１は、本願発明の床暖房パネルの一実施形態を示した裏面図であり、図２は、図１図中のＡ−Ａ断面図である。
【００１３】
床材１は、木質の横長長方形形状を有する部材であり、下地合板を有して形成され、表面に化粧シートが貼着されている。隣接する一方の長辺部と短辺部とに雄実２が、他方の長辺部と短辺部とに雌実３が形成され、前後左右に隣接する床暖房パネル同士の実結合によって床表面部を形成可能としている。
【００１４】
床材１の裏面部には、略矩形の凹所４がくり抜かれて形成されている。凹所４の深さは、平面発熱体５および断熱材６を組み込むことができるやや深いものとされている。平面発熱体５は、凹所４内において床材１の表面側に接着剤などを用いて固定されている。平面発熱体５には、ＰＴＣ（positive temperature coefficient）特性（正の温度特性 （温度が上昇すると抵抗が増加する））を有する、シート状の薄型のＰＴＣヒータを採用することができる。断熱材６は、平面発熱体５の下に配置され、床材１の裏面側に収容される。断熱材６には、通常用いられるものを板状に成形したものが使用可能である。好ましくは、いわゆる真空断熱材が用いられる。真空断熱材は、微粉末や微小なサイズの連続気泡を有する発泡体を真空保持性の良好なプラスチックまたは金属ラミネートフィルム内に挿入し、真空密封することにより製造される断熱パネルである。その断熱性能は、ポリウレタンなどの一般的な断熱材に比べ非常に高く、熱伝導を良好に抑制し、しかも高い断熱性を実現しながらも厚みを薄くすることができる。真空断熱材の採用は、平面発熱体５が発する熱の床材１の裏面側への伝熱を抑えるのに有効である。また、凹所４は、床材１に発生する反りを抑えるために深さを浅くすることが好ましいため、厚みの薄い真空断熱材の採用は、床材１の反りの抑制にも有効である。
【００１５】
また、凹所４には、凹所４の大きさおよび形状に略等しい大きさおよび形状を有する補強枠７が配設されている。補強枠７は、凹所４の長手方向にのび、凹所４の長さに略等しい長さを有する横桟８が２本凹所４の幅に合わせて対向配置され、その両端に、凹所４の短手方向にのび、凹所４の幅に略等しい長さを有する縦桟９が連結され、さらに、横桟８の中央部において両横桟８を縦中桟１０により連結するとともに、横桟８に平行に配置される横中桟１１によって縦桟９および縦中桟１０をその中央部において連結して組み立てられている。このように組み立てられた補強枠７が凹所４内において平面発熱体５の下側に配設されている。断熱材６は、補強枠７において、横桟８、縦桟９、縦中桟１０および横中桟１１により囲まれた部分に収容されている。
【００１６】
そして、床材１の裏面に、図２に示したように、裏面材１２が凹所４の全体を塞ぐように配設されている。裏面材１２は、紙、ベニア板などの厚みの薄いものから形成することができる。
【００１７】
このように、図１および図２に示した床暖房パネルでは、平面発熱体５が発する熱が床材１の裏面側に伝熱するのを抑制する断熱材６を組み込むために、凹所４の深さが多少深くなっていながらも、凹所４内に補強枠７が配設されるため、補強枠７によって床材１の表裏における構造上のバランスをとることができ、反りの発生を抑制することができる。床材１の両側端部が内側に向かって凹状に反るのが抑制される。したがって、床暖房パネルの製造が困難になったり、施工難度が高くなったりする派生的な問題が解決される。また、雄実２および雌実３による実結合が良好に行われ、床の仕上がり外観が向上する。さらに、補強枠７によって、床材１の表面側から加わる荷重を十分に受けることができ、床暖房パネルの強度が保たれる。このような補強枠７内に断熱材６は収容されるため、凹所４内での動きが抑制され、偏らずに安定して配置され、平面発熱体５が発する熱が床材１の裏面側に放出されるのを十分に抑制することができる。
【００１８】
なお、凹所４および補強枠７については、図１に示した略矩形のものばかりでなく、たとえば図３に示したように、凹所４は周縁部に複数の被係合部１３を有するものとし、補強枠７には被係合部１３に係合する係合部１４を複数設けることができる。係合部１４を被係合部１３に係合させて補強枠７を凹所４に嵌め込み、床材１への補強枠７の固定強度を高めることができる。
【００１９】
図３に示した補強枠７では、横桟８を長さ方向に少しずらして縦桟９、縦中桟１０および横中桟１１を用いて組み立て、対角位置に突出部１５を形成し、係合部１４としている。床材１の裏面部に形成された凹所４には、突出部１５に対応して対角部１６を突出させ、被係合部１３とし、補強枠７の突出部１５が嵌まり込むようにしている。補強枠７を凹所４内に配設する際には、補強枠７を凹所４内に挿入し、突出部１５を凹所４の突出する対角部１６に係合させ、補強枠７を凹所４内に嵌め込む。この状態において、床材１の四周縁部と補強枠７とをタッカー留めして補強枠７を床材１に固定することができる。
【００２０】
そして、以上の補強枠７は、たとえば、図２に示した裏面材１２にあらかじめ固定することができる。この場合、補強枠７の凹所４内への配設を裏面材１２の取り付けと同時に行うことができ、床暖房パネルの組み立てが容易となる。
【図面の簡単な説明】
【００２１】
【図１】本願発明の床暖房パネルの一実施形態を示した裏面図である。
【図２】図１図中のＡ−Ａ断面図である。
【図３】凹所と補強枠の別の形態を示した裏面図である。
【符号の説明】
【００２２】
１    床材
２    雄実
３    雌実
４    凹所
５    平面発熱体
６    断熱材
７    補強枠
８    横桟
９    縦桟
１０    縦中桟
１１    横中桟
１２    裏面材
１３    被係合部
１４    係合部
１５    突出部
１６    対角部
【図１】
2007315071.tif 000003
【図２】
2007315071.tif 000004
【図３】
2007315071.tif 000005